(57)【要約】      （修正有）【課題】足首部分の内径を使用者の足にフィットさせた状態で閉止することができると共に、足首全体を取り巻くように閉止体兼用被覆片を巻き回し、保温性を高め且つアクセサリー的な効用を持たせることができる足袋を提供する。【解決手段】足袋本体１の踵部１ａ側に設けられた足袋着脱時に開閉する合わせ目１Ａの一方側の端縁１Ａ´に、端縁１Ａ´側の幅が、底面から足首部分１ｃの頂部迄の幅を有すると共に、長さが、足首部分１ｃに巻き回したときにおいて先端２Ａが合わせ目１Ａ近傍に達する長さとした所要形状の閉止体兼用被覆片２を延設する。閉止体兼用被覆片２の先端部の内面に、足首部分１ｃの円周方向に沿って所要の長さの一対の面ファスナー３，４の一方３を取着する。足袋本体１における足首部分１ｃの閉止体兼用被覆片２の巻き回した先端側に位置する部分の外周面に、足首部分１ｃの円周方向に沿って所要の長さの一対の面ファスナー３，４のもう一方４を取着する。【選択図】図１
0003185079.tif 000002
【実用新案登録請求の範囲】
【請求項１】
足袋本体の踵部側に設けられた足袋着脱時に開閉する合わせ目の一方側の端縁に、該端縁側の幅が、底面から足首部分の頂部迄の幅を有すると共に、艮さが、足首部分に巻き回したときにおいて先端が合わせ目近傍に達する長さとした所要形状の閉止体兼用被覆片を延設し、該閉止体兼用被覆片の先端部の内面に、足首部分の円周方向に沿って所要の長さの一対の面ファスナーの一方を取着する一方、足袋本体における足首部分の前記閉止体兼用被覆片の巻き回した先端側に位置する部分の外周面に、該足首部分の円周方向に沿って所要の長さの一対の面ファスナーのもう一方を取着してなることを特徴とする足袋。
【請求項２】
足袋本体における肌に触れる内面側に、綿又は麻等の天然素材を配してなる請求項１記載の足袋。
【考案の詳細な説明】
【技術分野】
【０００１】  本考案は足袋に関し、更に詳細には、踵部側の合わせ目を開いて着脱する足袋であって、従来のこはぜに代えて面ファスナーを用いることによって着脱時における煩雑さを解消すると共に、足のサイズに合わせて微調整することができ、また、合わせ目の一方の端縁に延設した閉止体兼用被覆片を足首部分全体に巻き回して外側から締めつけて固定することにより、サポーターの如く締めつけて使用者の足に完全にフィットさせることができ、加えて特に冬場において足首から踵部分を保温することができるようになした足袋に係わる。
【背景技術】
【０００２】  従来の足袋は、着脱時における開閉する合わせ目部分の閉止体としてこはぜが使用されていた。しかし、斯かるこはぜは、それを止めるときにも、また、それを外すときにも非常に手間がかかり、煩わしかった。また、こはぜを掛ける紐の位置は、足首部分の周方向に沿って二列にして設けられているが、決まった間隔であるから、足首のサイズに合わせて微調整することはできなかった。【０００３】  また、足袋は一般的に薄い素材で製作されていることから、外気の影響を受けやすく、特に冬場は足が冷えて健康に影響を及ぼすこともある。
【考案の概要】
【考案が解決しようとする課題】
【０００４】  本考案は上記の点に鑑みなされたものであって、踵部側の合わせ目を開いて着脱する足袋であって、従来のこはぜに代えて面ファスナーを用いることによって着脱時における煩雑さを解消すると共に、足のサイズに合わせて微調整することができ、また、合わせ目の一方の端縁に延設した閉止体兼用被覆片を足首部分全体に巻き回して外側から締めつけて固定することにより、サポーターの如く締めつけて使用者の足に完全にフィットさせることができ、加えて特に冬場において足首から踵部分を保温することができるようになした足袋を提供しようとするものである。
【課題を解決するための手段】
【０００５】  而して、本考案の要旨とするところは、足袋本体の踵部側に設けられた足袋着脱時に開閉する合わせ目の一方側の端縁に、該端縁側の幅が、底面から足首部分の頂部迄の幅を有すると共に、長さが、足首部分に巻き回したときにおいて先端が合わせ目近傍に達する長さとした所要形状の被覆片を延設し、該被覆片の先端部の内面に、足首部分の円周方向に沿って所要の長さの一対の面ファスナーの一方を取着する一方、足袋本体における足首部分の前記被覆片の巻き回した先端側に位置する部分の外周面に、該足首部分の円周方向に沿って所要の長さの一対の面ファスナーのもう一方を取着してなることを特徴とする足袋にある。【０００６】  また、上記構成において、足袋本体における肌に触れる内面側に、綿又は麻等の天然素材を配するようにしてもよい。
【考案の効果】
【０００７】  本考案は上記の如き構成であり、従来のこはぜに代えて面ファスナーを用いたものであるから、着脱時における煩雑さを解消することができると共に、足のサイズに合わせて微調整することができるものである。また、靴下の如く足首を締めつけ過ぎることがないから、血液の循環に悪影響を及ぼす虞もないものである。また、合わせ目の一方の端縁に延設した閉止体兼用被覆片を足首部分全体に巻き回して外側から締めつけて固定することにより、サポーターの如く締めつけて使用者の足に完全にフィットさせることができ、加えて特に冬場において足首から踵部分を保温することができるものである。また、閉止体兼用被覆片が足首部分全体を取り巻くように被さっているから、これがアクセサリー的な作用もなし、従来の足袋のイメージを一新させて、モダンな、お洒落なイメージにすることができるものである。そして、色や柄の取り合わせを工夫すれば、和装と洋装のどちらにも適合させることができ、足袋の使用場面を増やすことも可能になるものである。【０００８】  また、足袋本体における肌に触れる内面側に、綿又は麻等の天然素材を配するようにした場合には、これら天然素材は通気性と保温性に優れているから、足袋の内部が蒸れず且つ保温性が一段と増すことになるものである。
【図面の簡単な説明】
【０００９】
【図１】本考案の実施形態に係る足袋の一方側の合わせ目を開いた状態における背面斜め上部から看た斜視図である。
【図２】同合わせ目を閉じた状態における背面斜め上部から看た斜視図である。
【図３】同着用時の状態における背面斜め上部から看た斜視図である。
【図４】同左側面図である。
【考案を実施するための形態】
【００１０】    以下、本考案を実施するための形態について、図面を参照して説明する。
【００１１】  図中、１は左右一対の足袋における左足側用の足袋の足袋本体であり、従来の足袋と同様に踵部側の合わせ目を開いて着脱するものである。また、該足袋本体１は、肌に触れる内面側に綿又は麻等の天然素材（図示せず。）を配するようにしてもよい。
【００１２】  ２は前記足袋本体１の踵部１ａ側に設けられた足袋着脱時に開閉する合わせ目１Ａの一方側の端縁１Ａ´に延設した閉止体兼用被覆片である。尚、本実施形態では、該閉止体兼用被覆片２は前記足袋本体１と同一素材で製作されているが、違う素材を用いるようにしてもよい。また、本実施形態では、該閉止体兼用被覆片２は合わせ目１Ａの一方側の端縁１Ａ´に延設しているが、もう一方側の端縁１Ａ´´に延設するようにしてもよい。
【００１３】  また、該閉止体兼用被覆片２は、前記端縁１Ａ´側の幅が、足袋本体１の底面１ｂから足首部分１ｃの頂部迄の幅を有し、また、その長さが、足首部分１ｃに巻き回したときにおいて先端２Ａが合わせ目１Ａ近傍に達する長さとしている。また、該閉止体兼用被覆片２は、本実施形態では三角形状になしているが、その形状はこれに限定されるものではない。
【００１４】  ３は前記閉止体兼用被覆片２の先端部の内面に取着した、一対の面ファスナーの一方である。また、該面ファスナー３は、足首部分１ｃの円周方向に沿っており、且つ本考案の目的を達成し得るに充分な長さを有している。
【００１５】  ４は前記面ファスナー３と対をなすもう一方の面ファスナーであり、前記足袋本体１における足首部分１ｃの前記閉止体兼用被覆片２の巻き回した先端側に位置する部分の外周面に取着されている。また、該面ファスナー４は、足首部分１ｃの円周方向に沿っており、且つ本考案の目的を達成し得るに充分な長さを有している。
【００１６】  次に、上記実施形態の作用について説明する。
足袋を着用するときには、図１に示す如く、先ず足袋本体１の踵部１ａ側の合わせ目１Ａを開き、足に足袋本体１を被せる。次に、図２に示す如く、閉止体兼用被覆片２を足首部分１ｃを取り巻くように巻き回す。そして、図３に示す如く、足首部分１ｃの内径が使用者の足首のサイズに適合する位置において両方の面ファスナー３，４を貼り合わせる。これにより着用が完了する。また、脱ぐときには、以上の手順を逆にして行うものである。
【００１７】  本考案は上記の如き構成であり、従来のこはぜに代えて面ファスナー３，４を用いたものであるから、着脱時における煩雑さを解消することができると共に、足のサイズに合わせて微調整することができるものである。また、靴下の如く足首を締めつけ過ぎることがないから、血液の循環に悪影響を及ぼす虞もないものである。また、合わせ目１Ａの一方の端縁１Ａ´に延設した閉止体兼用被覆片２を足首部分１ｃ全体に巻き回して外側から締めつけて固定することにより、サポーターの如く締めつけて使用者の足に完全にフィットさせることができ、加えて特に冬場において足首から踵部分を保温することができるものである。また、閉止体兼用被覆片２が足首部分１ｃ全体を取り巻くように被さっているから、これがアクセサリー的な作用もなし、従来の足袋のイメージを一新させて、モダンな、お洒落なイメージにすることができるものである。そして、色や柄の取り合わせを工夫すれば、和装と洋装のどちらにも適合させることができ、足袋の使用場面を増やすことも可能になるものである。
【００１８】  また、足袋本体における肌に触れる内面側に、綿又は麻等の天然素材を配するようにした場合には、これら天然素材は通気性と保温性に優れているから、足袋の内部が蒸れず且つ保温性が一段と増すことになるものである。
【符号の説明】
【００１９】  １  足袋本体
１Ａ  合わせ目
１Ａ´  合わせ目の一方側の端縁
１ｃ  足袋本体の足首部分
２  閉止体兼用被覆片
３  一対の面ファスナーの一方
４  一対の面ファスナーのもう一方
【図１】
0003185079.tif 000003
【図２】
0003185079.tif 000004
【図３】
0003185079.tif 000005
【図４】
0003185079.tif 000006